(57)【特許請求の範囲】
【請求項１】
左右側面枠の各枠内が開口され、天井枠、底面枠、正面枠及び背面枠の各枠内が格子状に閉口された各筒形の捕獲檻であって、
前記左右側面枠の一方側は、側面枠の上方に延設された一対のガイドレール上にストッパーによって保持され、ストッパーの解除を契機として自重により降下する昇降扉が位置し、
前記左右側面枠の他方側は、側面枠に外付けされる着脱可能な固定体が位置し、
前記昇降扉が昇降する前記一対のガイドレールと、前記天井枠のうち前記一対のガイドレールの対向面と水平な枠材と、が離間することで、前記昇降扉が昇降する前記一対のガイドレールと前記枠材との間に間隙部が形成されており、
前記固定体が位置する側面枠は、その左右枠材の各々に連結棒が挿入可能で前記固定体と固定される中空円筒状の取付部材が互い違いに設けられていることを特徴とする捕獲檻。
【発明の詳細な説明】
【技術分野】
【０００１】
本発明は、自然に生息する有害動物を捕獲する捕獲檻及び連結用捕獲檻及びこれに使用される昇降扉に関する。
【背景技術】
【０００２】
従来より、猪・鹿・熊・猿・狐などで人体や農作物に危害を加える有害動物を駆除するために、有害動物を捕獲する捕獲檻やその附属物（仕掛け、罠、扉）が種々存在する。この種の捕獲檻や扉は、有害動物を確実に捕獲するように鋼鉄製の部材で構成される頑丈な作りとなっている。また、近年では、大型の有害動物に加えて中小型の鳥獣も捕獲したり、間隔の広い格子状の捕獲檻では捕獲した動物に逃げられてしまうことへの対処として、格子の間隔を狭くするようになってきているが、格子を構成する鋼鉄製の部材が増えていくにつれて捕獲檻自体の重量が増加することから、捕獲檻の運搬や大型化に障害を生じている。
【０００３】
特許文献１記載の捕獲檻は、６φｍｍ金網１００ｃｍ×２００ｃｍの金網を溶接固定しており、横幅が２００ｃｍと大型であり、また重さは約１４０ｋｇと大重量である。
【先行技術文献】
【特許文献】
【０００４】
【特許文献１】特開２００３−５２２９６号公報（段落［０００５］、図１）
【発明の概要】
【発明が解決しようとする課題】
【０００５】
ここで、特許文献１記載の捕獲檻は、大型・大重量であるために分解を容易にして現地組立に適した構成としているが、有害動物の捕獲位置は草木が生い茂った場所であったり、斜面などの平坦地以外であったりすることが多いことから、現地組立が容易に行えるような環境でないことが多い。また、組立部品を喪失した際の発見も困難な環境であることが多い。
【０００６】
また、捕獲檻内に動物が進入してストッパーが解除されると、その瞬間にシャッターが降下するが、その勢い（速度）は早く、例えば１００ｃｍの距離からでは約０．４５秒で降下することになる。そのため、仕掛け作業中に誤ってシャッターが降下してしまい、シャッターと檻との間に手を挟まれて重軽傷を負うなどの事故も懸念される。
【０００７】
本発明はこのような点に鑑みてなされたものであり、その目的は、ストッパーが解除されて扉が降下する際の安全性を考慮するとともに、組立て済みの捕獲檻によって自在に大きさを変更可能で大型化の要請にも対応することができる捕獲檻及びこれに使用される昇降扉を提供することにある。
【課題を解決するための手段】
【０００８】
上記課題を解決するために、本発明は、以下のものを提供する。
【０００９】
（１）  左右側面枠の各枠内が開口され、天井枠、底面枠、正面枠及び背面枠の各枠内が格子状に閉口された各筒形の捕獲檻であって、前記左右側面枠の一方側は、側面枠の上方に延設された一対のガイドレール上にストッパーによって保持され、ストッパーの解除を契機として自重により降下する昇降扉が位置し、前記左右側面枠の他方側は、側面枠に外付けされる着脱可能な固定体が位置し、前記昇降扉が昇降する前記一対のガイドレールと、前記天井枠のうち前記一対のガイドレールの対向面と水平な枠材と、が離間することで、前記昇降扉が昇降する前記一対のガイドレールと前記枠材との間に間隙部が形成されていることを特徴とする捕獲檻。
【００１０】
本発明によれば、ガイドレールに沿って自重降下する昇降扉と天井枠との間に間隙部が形成されていて隙間があることから、枠材近傍で仕掛け作業をしている際に誤って昇降扉が自重降下しても、間隙部によって手や指や昇降扉に触れたり昇降扉と天井枠との間に挟まるということを防止することができ、ストッパーが解除されて扉が降下する際の安全性に寄与することができる。
【００１１】
すなわち、従来の捕獲檻は、ガイドレールと仕掛けが位置する枠材とが近接していたことから、枠材近傍で仕掛け作業をしている際に誤って昇降扉が自重降下した場合、手や指や昇降扉に触れたり昇降扉と天井枠との間に挟まるという危険性が懸念されたが、本発明によれば、そのような懸念を払拭することができる。
【００１２】
（２）  左右側面枠の各枠内が開口され、天井枠、底面枠、正面枠及び背面枠の各枠内が格子状に閉口された各筒形の捕獲檻であって、前記左右側面枠の一方側は、側面枠の上方に延設されたガイドレール上にストッパーによって保持され、ストッパーの解除を契機として自重により降下する昇降扉が位置し、前記左右側面枠の他方側は、側面枠に外付けされる着脱可能な固定体が位置し、前記固定体が位置する側面枠は、その左右枠材の各々に取付部材が互い違いに設けられていることを特徴とする捕獲檻。
【００１３】
本発明によれば、左右側面枠の他方側面枠には外付けされる着脱可能な固定体が位置し、この固定体を取り付ける取付部材が左右枠材の各々に取付部材が互い違いに設けられていることから、側面枠側の取付部材と対向する固定体側の取付部材とを組み合わせることで容易に固定体を捕獲檻に連結することができ、固定体として連結用捕獲檻を用いることで大型化の要請に対応することができる。
【００１４】
捕獲檻に連結される各筒形の連結用捕獲檻であって、左右側面枠の各枠内が開口され、天井枠、底面枠、正面枠及び背面枠の各枠内が格子状に閉口され、前記左右側面枠は、その左右枠材の各々に取付部材が互い違いに設けられていることを特徴とする連結用捕獲檻。
【００１５】
本発明によれば、各筒形の連結用捕獲檻の左右側面枠は、その左右枠材の各々に取付部材が互い違いに設けられていることから、捕獲檻の取付部材との連結の際に対向する取付部材を組み合わせることで大型化の要請に対応することができる。また、対向する取付部材同士で連結を阻害する場合は、連結用捕獲檻の上下を反転させることで取付部材の組み合わせ位置を適正化することから、容易に連結することができる。
【００１６】
（３）  捕獲檻に使用される昇降扉であって、起立状態において下枠材と地平面との間に間隙部が形成されていることを特徴とする昇降扉。
【００１７】
本発明によれば、起立状態において昇降扉の下枠材と地平面との間に間隙部が形成されていることから、自重降下した昇降扉に足を挟まれることを防止することができ、ストッパーが解除されて昇降扉が降下する際の安全性に寄与することができる。
【００１８】
（４）  捕獲檻に使用される昇降扉であって、枠内を格子状に閉口する縦横に配置される複数の格子棒は、整列配置された縦格子棒を基準として、所定の１本の横格子棒のみが捕獲檻側に配置され、他の横格子棒はその逆側に配置されて不整列であることを特徴とする昇降扉。
【００１９】
本発明によれば、昇降扉を保持するストッパーと当接する位置を不整列な１本の横格子棒とするように、ストッパーと昇降扉との相対的位置関係によって所定の横格子棒を配置することで、ストッパーとの当接位置が視覚的に明確となり、誤った位置で仕掛けを組むことで誤って昇降扉が自重降下することを防止し、ストッパーが解除されて昇降扉が降下する際の安全性に寄与することができる。また、
【００２０】
また、捕獲檻側に配置された１本の横格子棒のみがストッパーと当接することから、他の横格子棒がストッパーと当接して昇降扉の自重降下を阻害することがなく、安全性に配慮しつつも、動物を捕獲した際の確実な昇降扉の降下に寄与することができる。
【発明の効果】
【００２１】
本発明の捕獲檻は、ストッパーが解除されて誤って昇降扉が自重降下しても、間隙部によって昇降扉との接触を防止し、昇降扉が降下する際の安全性に寄与することができるとともに、連結用捕獲檻との連結を可能にする取付部材によって、大型化の要請に対応することができるという効果がある。
【００２２】
また、本発明の昇降扉は、ストッパーが解除されて誤って昇降扉が自重降下しても、間隙部によって昇降扉との接触を防止するとともに、視覚的にストッパーとの当接位置を明確に誤った位置で仕掛けを組むことを防止し、昇降扉が降下する際の安全性に寄与することができるという効果がある。
【図面の簡単な説明】
【００２３】
【図１】本発明の実施の形態に係る捕獲檻の外観を示す図。
【図２】本発明の実施の形態に係る昇降扉の外観を示す図。
【図３】本発明の実施の形態に係る捕獲檻と昇降扉との位置関係を示す図。
【図４】本発明の実施の形態に係る捕獲檻の右側面概略を示す図。
【図５】本発明の実施の形態に係る捕獲檻に外付けされる固定体を示す図。
【図６】ストッパーを示す図。
【発明を実施するための最良の形態】
【００２４】
以下、本発明の実施の形態について図面に基づいて説明する。
【００２５】
図１は、本発明の実施の形態に係る捕獲檻１の外観を示す図であり、ストッパーや仕掛け、エサなどは省略している。
【００２６】
捕獲檻１は、天井枠２の枠内に鋼製格子棒が格子状に溶着して配置され、底面枠３，正面枠４及び背面枠５の枠内も同様に鋼製格子棒が格子状に溶着して配置されており、それぞれは所定の格子状隙間をもって閉口されることで、捕獲檻内からの動物の脱出を困難にしている。一方、左側面枠６及び右側面枠７には、その枠内に鋼製格子棒が配置されておらず、捕獲檻内への動物の進入及び捕獲檻外への動物の取出しを可能にしている。なお、各枠は金属材フラットバーを溶着又は変形させたＬ字型を呈しており、例えば、左側面枠６を構成する上枠材６ａ，下枠材６ｂ，右枠材６ｃ，左枠材６ｄに関しては、天井枠２の左枠材２ｄと上枠材６ａとがＬ字型で一体となり、底面枠３の左枠材３ｄと下枠材６ｂとがＬ字型で一体となり、正面枠４の左枠材４ｄと右枠材６ｃとがＬ字型で一体となり、背面枠５の左枠材５ｄと左枠材６ｄとがＬ字型で一体となっているが、各枠材の有する機能は別個のものとして説明する。
【００２７】
左側面枠６を構成する左右枠体６ｃ，６ｄは、天井枠２が位置する高さ以上に上方に延びており、左右枠体６ｃ，６ｄに合わせて上方に延設した左右枠体８ｃ，８ｄが左右枠体６ｃ，６ｄと離間して一体形成されることで、離間した対向面が開放されたガイドレール９ｃ，９ｄを構成している。このガイドレール９ｃ，９ｄに沿って昇降扉が昇降する。なお、天井枠２と同じ高さの左右枠体６ｃ，６ｄにガイドレールを取り付けることも可能であるが、左側面枠６を上方に延設して左右枠体６ｃ，６ｄをガイドレール９ｃ，９ｄの一部として構成した方がガイドレールの強度を保つことができる点で有利である。
【００２８】
右側面枠７は上枠材７ａ，下枠材７ｂ，右枠材７ｃ，左枠材７ｄによって構成されており、その詳細は後述する。
【００２９】
その他、捕獲檻１の天井枠２内にはストッパー及び仕掛けを固定する固定部１０、ストッパー及び仕掛けを載上したり狩猟免許・捕獲許可等を表示するプレート部１１が格子棒に溶着固定されている。固定部１０において、ストッパー及び仕掛けを回動自在に固定する固定ネジ部は天井枠２の左枠材２ｄ上に位置している。
【００３０】
図２は、本発明の実施の形態に係る昇降扉２０の外観を示す図であり、（ａ）は正面図、（ｂ）は背面斜視図である。
【００３１】
昇降扉２０は、垂直方向に延びる薄板状の上プレート材２０ａ，下プレート材２０ｂ，左プレート材２０ｃ，右プレート材２０ｄの各々と水平方向（図中手前方向）に延びる上下左右のプレート材２０ｅとがＬ字型で一体となっており、プレート２０ｅで囲まれた枠内が格子棒２１，２２，２３によって格子状に閉口されている。正面外観は水平垂直なプレート材２０ｅによる凹凸面を有するが、背面外観は略平坦面を有しており、正面側を手前にして表裏が平滑な左右プレート材２０ｃ，２０ｄをガイドレール９ｃ，９ｄに挿入する。
【００３２】
昇降扉２０の下プレート材２０ｂと左右のプレート２０ｅとの取付けは、起立状態において下プレート材２０ｂの下端が地面に接地することのないように左右のプレート２０ｅの上方に位置させるか、下プレート材２０ｂを除去する。これにより、地平面との間に隙間ｈの間隙部が形成される。
【００３３】
また、昇降扉２０を格子状に閉口する格子棒のうち、縦格子棒２１はプレート材２０ｅ上に一列に整列して溶着配置され、横格子棒２２はプレート材２０ｅ上に縦格子棒２１の手前側となるように一列に整列して溶着配置されている。一方、横格子棒２３はプレート材２０ｅ上又は左右プレート材２０ｃ，２０ｄの裏側に縦格子棒２１の奥側となるように溶着配置されており、横格子棒２２と横格子棒２３とは不整列となっている。この横格子棒２３をストッパーの当接部に当接させることで、ストッパー機能及び仕掛け機能を確実にすることができる。
【００３４】
図３は、本発明の実施の形態に係る捕獲檻１と昇降扉２０との位置関係を示す図であり、昇降扉２０との間に幅ｗの間隙部が形成されていることを示している。
【００３５】
昇降扉２０は対向する一対のガイドレール９ｃ，９ｄを図中表裏方向に昇降する。捕獲檻１の天井枠２は上枠材２ａ，下枠材２ｂ，右枠材２ｃ（図示せず），左枠材２ｄで構成され、左枠材２ｄ上に固定部１０が設けられる。図３では、上枠材２ａ及び下枠材２ｂの一端に左枠材２ｄを配置する態様ではなく、かかる一端より中央に向かう側に左枠材２ｄを配置することで、一対のガイドレール９ｃ，９ｄの対向面との間に幅ｗの間隙部を形成している。
【００３６】
図４は、本発明の実施の形態に係る捕獲檻１の右側面概略を示す図である。
【００３７】
捕獲檻１の右側面枠７の右枠材７ｃには、外付けされる着脱可能な固定体が位置するための複数の取付部材３１が離間して設けられ、左枠材７ｄにも複数の取付部材３２が離間して設けられている。取付部材３１と取付部材３２は中空円筒状であり、左右枠材７ｃ，７ｄに溶着固定して互い違いに配置される。
【００３８】
図５は、本発明の実施の形態に係る捕獲檻１に外付けされる固定体を示す図であり、（ａ）は固定体としての固定扉４０、（ｂ）は固定体としての連結用捕獲檻５０を示す。
【００３９】
固定扉４０は、捕獲檻１に外付けするための複数の取付部材４１，４２が離間して設けられ、取付部材４１と取付部材４２は中空円筒状であり、左右枠材に溶着固定して互い違いに配置される。捕獲檻１の右側面枠７と固定扉４０との取付けは、取付部材３１と取付部材４２が干渉せず、かつ、取付部材３２と取付部材４１が干渉しないように、右側面枠７に固定扉４０を対向させて密着し、中空領域に連結棒４５を挿入して固定する。捕獲檻１内に進入した動物は、前方を固定扉４０で進路を阻止され、後方を昇降扉２０で進路を阻止されることとなる。
【００４０】
連結用捕獲檻５０は、左右側面枠の各枠内が開口され、天井枠、底面枠、正面枠及び背面枠の各枠内が格子状に閉口されている点で図１の捕獲檻１と同様である。左右側面枠の両方には、図４に示す複数の取付部材が互い違いに離間して設けられている。捕獲檻１の右側面枠７と連結用捕獲檻５０の左側面枠５１との取付けは、互いの取付部材が干渉しないように、右側面枠７に連結用捕獲檻５０を対向させて密着し、中空領域に連結棒４５を挿入して固定する。また、連結用捕獲檻５０の右側面枠５２との取付けは固定扉４０や連結用捕獲檻５０であってよく、捕獲檻１を適宜に構成することができる。
【００４１】
図６は、ストッパー６０を示す図であり、短片平板の支持棒６１の一端と長片平板の作用棒６２の略中央とが軸６３によって回動可能に固定されている。また、支持棒６１の他端には固定部１０に回動自在に固定するための孔６４が形成されている。また、作用棒６２の一端には仕掛けを作用するためのネジ６５が設けられ、その他端には横格子棒２３に当接して昇降扉の自重降下を阻止する当接部６６が設けられている。
【００４２】
仕掛けが作用してネジ６５の部分を図中矢印方向へ引っ張る応力が発生することにより、横格子棒２３と当接部６６との当接が外れ、ストッパーが解除される。
【００４３】
なお、捕獲檻１を背中合わせに連結して両扉による仕掛けを構成することもでき、この場合には、捕獲檻１を２倍の長さにすることができる。あまりに長い捕獲檻は運搬が困難であるが、これによれば、複数の捕獲檻１を運搬して連結することで、作業負担を軽減することができる。また、胴の長い動物を捕獲する際、捕獲檻１の長さが短いと、進入してきた動物の胴体やお尻が昇降扉の降下を阻止してしまうこともあるが、捕獲檻１を連結して長さを長くすることで、このような問題を解消可能である。
【産業上の利用可能性】
【００４４】
本発明に係る捕獲檻は、その大型化の要請にも対応でき、扉が降下する際の安全性に配慮したものとして有用である。
【符号の説明】
【００４５】
１  捕獲檻
２  天井枠
３  底面枠
４  正面枠
５  背面枠
６  左側面枠
７  右側面枠
９ｃ，９ｄ  ガイドレール
１０  固定部
１１  プレート部１１
２０  昇降扉
２１，２２，２３  格子棒
３１，３２  取付部材
４０  固定扉
４１，４２  取付部材
５０  連結用捕獲檻
６０  ストッパー
【図１】
0006277454.tif 000002
【図２】
0006277454.tif 000003
【図３】
0006277454.tif 000004
【図４】
0006277454.tif 000005
【図５】
0006277454.tif 000006
【図６】
0006277454.tif 000007